(57)【特許請求の範囲】
【請求項１】
カップ部を有する衣類に用いるカップ支持部用部材であって、
クッション部と耳部とを有し、
前記クッション部と前記耳部とは、織物または編物を用いて一体的に形成され、
前記耳部は、ワイヤーが未挿入であり、
前記クッション部の厚みは、衣類におけるワイヤーの厚みと、略同一であり、
前記カップ支持部用部材を、カップ部を有する衣類のカップ支持部に使用する際、
前記耳部は、前記衣類のカップ部下辺に重なるように配置され、
前記カップ支持部用部材は、その上辺側に前記クッション部が位置するように配置され、
肌から遠い順に、前記カップ部、前記カップ支持部用部材、ワイヤーを内包するワイヤーループが位置するように配置されることを特徴とするカップ支持部用部材。
【請求項２】
前記耳部と一体的に形成された管状体の内部にクッション材が挿入されており、前記クッション材が内部に挿入された前記管状体が、前記クッション部であることを特徴とする、請求項１記載のカップ支持部用部材。
【請求項３】
前記クッション材が、糸束であることを特徴とする、請求項２記載のカップ支持部用部材。
【請求項４】
前記クッション部が、前記耳部よりも高目付の織物または編物であることを特徴とする、請求項１記載のカップ支持部用部材。
【請求項５】
前記クッション部の厚みが２〜５ｍｍの範囲であることを特徴とする、請求項１から４のいずれか一項に記載のカップ支持部用部材。
【請求項６】
前記クッション部の幅が５〜１０ｍｍの範囲であることを特徴とする、請求項１から５のいずれか一項に記載のカップ支持部用部材。
【請求項７】
前記耳部の両側に前記クッション部が設けられていることを特徴とする、請求項１から６のいずれか一項に記載のカップ支持部用部材。
【請求項８】
請求項１から７のいずれか一項に記載のカップ支持部用部材を、カップ支持部に有し、
前記カップ支持部用部材は、その上辺側に前記クッション部が位置するように配置され、
肌から遠い順に、前記カップ部、前記カップ支持部用部材、ワイヤーを内包するワイヤーループが位置するように配置されることを特徴とするカップ部を有する衣類。
【発明の詳細な説明】
【技術分野】
【０００１】
本発明は、カップ支持部用部材およびカップ部を有する衣類に関する。
【背景技術】
【０００２】
従来、ブラジャー等のカップ部を有する衣類には、バストの造形や着用安定性のため、カップ部下辺のバージスラインに沿う部分にカップ支持部が設けられている。このようなカップ部を有する衣類として、カップ支持部に、例えば、ワイヤーを挿入した、ワイヤー入りブラジャー等がある。しかし、ワイヤー入りブラジャーは、着用時にワイヤーが肌にあたる、くいこむ等、着用時に違和感が生じることがある。こうした問題点を解消するため、例えば、ワイヤー用サポートループの幅を広くし、ブラジャー等と縫着しない遊離部を設けることによって、サポートループが極端な凸起部とならず、肌へのくいこみを緩和させるというブラジャー用等のアンダーワイヤー用サポートループが開示されている（例えば、特許文献１参照。）。
【先行技術文献】
【特許文献】
【０００３】
【特許文献１】実開平７−２４９１６号公報
【発明の概要】
【発明が解決しようとする課題】
【０００４】
しかし、ワイヤー用ループは、カップ部との縫着時に、ワイヤーに沿って、ワイヤーを挟んでその上下を縫うため、ワイヤー部が突起となって肌にあたることは防ぎきれないという問題があった。図９に、ブラジャーに挿入されるワイヤーの模式図を示す。図９（ａ）は、前記ワイヤーを正面から見た図、図９（ｂ）は、前記ワイヤーのバージスライン最下点部付近の断面図である。ブラジャーを着用すると、図９（ａ）に示す矢印方向にワイヤーは広がり、それに伴い、ワイヤーが身体側に倒れ込む。そのため、バージスラインの最下点では、図９（ｂ）に示すように、図９（ａ）に示すワイヤー下点の上辺があたったり、食い込んだりしやすくなるが、前記の技術では、これを防ぐことができず、このため着用時に違和感があった。また、図９（ａ）に示すように、ワイヤーの両先端は、ワイヤーがワイヤー用ループを突き破るのを防止するために、樹脂で丸く加工され、太くなっている。そのため、ワイヤーの両先端部は、肌にあたりやすく、着用時、この部分に違和感を感じやすいという問題もあった。一方、ワイヤーによる違和感を軽減させるために、ワイヤーの幅を広くしたり、ワイヤーを柔らかくしたりすると、造形性および安定性が弱くなるという問題もあった。
【０００５】
そこで、本発明は、ワイヤー等のカップ支持部における前述の着用時の違和感を解消しつつ、カップ部の造形性および安定性を向上させることができるカップ支持部用部材、および、カップ部を有する衣類を提供することを目的とする。
【課題を解決するための手段】
【０００６】
前記目的を達成するために、本発明のカップ支持部用部材は、
カップ部を有する衣類に用いるカップ支持部用部材であって、
クッション部と耳部とを有し、
前記クッション部と前記耳部とは、織物または編物を用いて一体的に形成され、
前記耳部が、前記衣類のカップ部下辺に重なるように配置されることを特徴とする。
【０００７】
また、本発明のカップ部を有する衣類は、前記本発明のカップ支持部用部材を、カップ支持部に有することを特徴とする。
【発明の効果】
【０００８】
本発明のカップ支持部用部材およびカップ部を有する衣類によると、ワイヤー等に起因するカップ支持部における着用時の違和感を解消し、かつカップ部の造形性および安定性を向上させることができる。
【図面の簡単な説明】
【０００９】
【図１】図１（ａ）は、本発明のカップ支持部用部材の一例である、第１の実施形態に係るカップ支持部用部材を示す斜視図である。図１（ｂ）は、前記第１の実施形態に係るカップ支持部用部材の変形例を示す斜視図である。
【図２】図２（ａ）は、本発明のカップ支持部用部材の一例である、第２の実施形態に係るカップ支持部用部材を示す斜視図である。図２（ｂ）は、前記第２の実施形態に係るカップ支持部用部材の変形例を示す図である。
【図３】図３（ａ）は、本発明のカップ支持部用部材の一例である、第３の実施形態に係るカップ支持部用部材を示す斜視図である。図３（ｂ）は、前記第３の実施形態に係るカップ支持部用部材の変形例を示す斜視図である。
【図４】図４（ａ）は、本発明のカップ支持部用部材の一例である、第４の実施形態に係るカップ支持部用部材を示す斜視図である。図４（ｂ）は、前記第４の実施形態に係るカップ支持部用部材の変形例を示す斜視図である。
【図５】図５は、本発明のカップ部を有する衣類の一例である、ブラジャーの斜視図である。
【図６】図６は、図５のブラジャーをＩ−Ｉ方向に見た、第５の実施形態における断面図である。
【図７】図７は、図５のブラジャーをＩ−Ｉ方向に見た、第６の実施形態における断面図である。
【図８】図８は、図５のブラジャーをＩ−Ｉ方向に見た、第７の実施形態における断面図である。
【図９】図９は、着用時のワイヤーの肌へのあたりを説明する図である。（ａ）は、ワイヤーの図、（ｂ）は、ワイヤーが身体側へ倒れる時の様子を示した側面図である。
【発明を実施するための形態】
【００１０】
本発明のカップ支持部用部材およびカップ部を有する衣類について、例をあげて説明する。ただし、本発明は、以下の例に限定および制限されない。
【００１１】
（第１の実施形態）
図１（ａ）に、本発明の第１の実施形態に係るカップ支持部用部材１００Ａを示す。図１（ａ）は、本実施形態のカップ支持部用部材１００Ａの斜視図である。図１（ａ）に示すとおり、カップ支持部用部材１００Ａは、クッション部１０１と、耳部１０２とを有している。カップ支持部用部材１００Ａは織物または編物であって、クッション部１０１と耳部１０２とは、一体的に形成されている。
【００１２】
クッション部１０１は、クッション性を有している。クッション部１０１は、例えば、耳部１０２と一体にあらかじめ管状体を形成し、前記管状体の内部にクッション材３０を挿入して管状体の内部を埋めることによって作製することができる。これにより、クッション部１０１にクッション性を持たせることができる。クッション材３０としては、大量の細い糸の束や、ナイロンチューブ等の樹脂チューブ、弾性樹脂等を用いることができる。糸束を用いる場合、糸を詰めすぎると、クッション部１０１が硬くなり、クッション性が不十分となるので、クッション性を有するよう調節して糸を挿入することが好ましい。また、樹脂チューブや樹脂（例えば、ウレタン樹脂）を挿入する場合、チューブや樹脂が硬いと肌にあたる時に痛みを感じるので、やわらかいものを使用することが好ましい。前記樹脂は、液状で注入した後、ゲル状に硬化するような素材であることも好ましい。耳部１０１および前記管状体の素材としては、ナイロン、ポリエステル、綿、アクリル等の繊維を用いることができる。
【００１３】
本実施形態のカップ支持部用部材１００Ａを、織物で形成すると製造が容易である。例えば、２本針タイプのニードル織機を用いて、耳部から織り始め、クッション部と耳部との境目まで織り上げた後に、経糸を、例えば１本おきに均等に２等分してそれぞれに緯糸を通して２枚に織り上げ、最後に２等分された経糸を合わせて緯糸を通して２枚を連結させクッション部を形成して得ることができる。しかし、本発明のカップ支持部用部材の製造方法は、これに限定されるものではない。
【００１４】
カップ支持部用部材１００Ａは、耳部１０２が、カップ部を有する衣類のカップ部下辺に重なるように設けられる。前記カップ部下辺にワイヤーが設けられている場合、カップ支持部用部材１００Ａは、前記ワイヤーと組み合わせて、カップ部に装着することができる。カップ支持部用部材１００Ａをワイヤーと組み合わせることにより、カップ支持部用部材１００Ａのクッション部１０１の厚みとワイヤーの厚みとを、ほぼ平らにすることができる。これにより、ワイヤー部が突起し、肌にあたるという着用時の違和感を解消することができる。クッション部１０１の厚みは、２〜５ｍｍの範囲であることが好ましい。厚みをこれらの範囲にすることにより、カップ支持部用部材１００Ａとワイヤーとを組み合わせたとき、ワイヤーとクッション部１０１とを段差なく設けることができる。さらに、前記厚みは、３ｍｍ前後であることがより好ましい。また、クッション部１０１の幅は、実現したい着用感に合わせて、適宜調整することが可能であるが、５〜１０ｍｍの範囲が好ましく、６ｍｍ前後がより好ましい。クッション部１０１の幅が広すぎると、クッション部１０１が浮いてしまうため、幅を前記範囲にすることによって、ブラジャーをアンダーバストにフィットさせることができる。
【００１５】
また、カップ支持部用部材１００Ａは、ワイヤーを補助し、バストの造形力や着用安定感を高めるという機能も有する。カップ支持部用部材１００Ａの幅におけるクッション部１０１が占める割合が高くなると、カップ支持部用部材１００Ａの前記造形機能が高くなる。また、カップ支持部用部材１００Ａにより、カップ部の土台が安定し、バストをしっかりと支えることができる。また、ワイヤーがバストを挟んで造形する力を補助できるため、バストの造形性を高め、バストが脇側に流れるのを防ぐことができる。
【００１６】
耳部１０２の厚みは、ワイヤーと組み合わせた際、耳部１０２の厚みとワイヤーの厚みとを合計した厚みと、クッション部１０１の厚みとがほぼ同じになるように設定されることが好ましい。前記ワイヤーは、バイアステープがワイヤーを包んだワイヤーループとしてカップ支持部用部材１００Ａと組み合わせることができる。その場合、バイアステープの厚みも考慮し、耳部は薄いほうが好ましい。
【００１７】
図１（ｂ）に、第１の実施形態の変形例を示す。本変形例のカップ支持部用部材１００Ｂは、耳部１０２の両端に、クッション部１０１が設けられている他は、第１の実施形態と同様である。これにより、後述のように、１つの部材で、ワイヤーを挟んで上下にクッション部１０１を設けることができる。
【００１８】
本実施形態では、カップ支持部用部材を、カップ部下辺にワイヤーが設けられているカップ部を有する衣類に用いる場合について説明した。しかし、本発明のカップ支持部用部材は、これに限って使用されるものではなく、ノンワイヤータイプのカップ部を有する衣類にも用いることができる。ノンワイヤータイプのカップ部を有する衣類においても、本発明のカップ支持部用部材をカップ部下辺に装着することにより、カップ部下辺が補強され、安定するため、適度な造形力と着用安定感を付与することができる。
【００１９】
（第２の実施形態）
図２（ａ）に、本発明のカップ支持部用部材の第２の実施形態に係るカップ支持部用部材２００Ａを示す。本実施形態では、耳部２０２が、一定程度の厚みを有している。この厚みは、ワイヤーと組み合わせた際、耳部２０２の厚みとワイヤーの厚みとを合計した厚みと、クッション部２０１の厚みとがほぼ同じになるように設定されることが好ましい。耳部２０２に厚みを設けることにより、ワイヤーを組み合わせた際にワイヤーを補強することができるため、バストの造形力や着用安定性をより高めることができる。このように、本発明のカップ支持部用部材は、クッション部や耳部の大きさや厚さを調整することにより、様々な態様のワイヤーと組み合わせて用いることができる。
【００２０】
図２（ｂ）に、第２の実施形態の変形例を示す。本変形例のカップ支持部用部材２００Ｂは、耳部２０２の両端に、クッション部２０１が設けられている他は、第２の実施形態と同様である。これにより、後述のように、１つの部材で、ワイヤーを挟んで上下にクッション部２０１を設けることができる。
【００２１】
（第３の実施形態）
図３（ａ）に、本発明のカップ支持部用部材の第３の実施形態に係るカップ支持部用部材３００Ａを示す。本実施形態では、耳部３０２が、ワイヤー５０を挿入することができるよう設計されている。
【００２２】
本実施形態では、カップ支持部用部材３００Ａの耳部３０２にワイヤー５０を直接挿入して組み合わせることができる。これにより、ワイヤーループを別途設ける必要がないため、部材を少なくすることができ、製造コストを削減することが可能となる。また、ワイヤーループをカップ部にセットして縫着するという手間がなくなるため、作業効率も良くなる。
【００２３】
図３（ｂ）に、第３の実施形態の変形例を示す。本変形例のカップ支持部用部材３００Ｂは、耳部３０２の両端に、クッション部３０１が設けられている他は、第３の実施形態と同様である。これにより、後述のように、１つの部材で、ワイヤー５０を挟んで上下にクッション部３０１を設けることができる。
【００２４】
（第４の実施形態）
図４（ａ）に、本発明のカップ支持部用部材の第４の実施形態に係るカップ支持部用部材４００Ａを示す。本実施形態では、クッション部４０１が、耳部４０２よりも高目付の織物または編物で形成されている。目付とは、単位面積当たりの重さをいう。クッション部４０１を高目付とする方法として、クッション部４０１の糸に、耳部４０２の糸よりも太いものを使用する、クッション部４０１の糸の数を耳部４０２よりも多くする、等の方法を用いることができる。本実施形態において、カップ支持部用部材４００Ａは、織物で形成されていることが好ましい。また、本実施形態においても、第３の実施形態のように、耳部４０２にワイヤーを挿入できるように設計されていてもよい。
【００２５】
図４（ｂ）に、第４の実施形態の変形例を示す。本変形例のカップ支持部用部材４００Ｂは、耳部４０２の両端に、クッション部４０１が設けられている他は、第４の実施形態と同様である。これにより、後述のように、１つの部材で、ワイヤーを挟んで上下にクッション部４０１を設けることができる。
【００２６】
（第５の実施形態）
図５に、本発明のカップ部を有する衣類の一例であるブラジャー５００の斜視図を示す。このブラジャー５００のカップ部５０１の下辺部には、本発明のカップ支持部用部材が取り付けられてカップ支持部５０５が形成されている。図６から図８に、本発明のカップ支持部用部材の取り付け方法の具体例を示す。図６から図８は、図５のブラジャーをＩ−Ｉ方向に見た断面図である。
【００２７】
本発明のカップ支持部用部材をワイヤーループ５１５と組み合わせて使用する場合は、図６に示すように、カップ部５０１の下辺部において、肌側から遠い順に、土台部５１０、カップ部５０１、カップ支持部用部材１００Ａ、ワイヤーループ５１５の順番に重ね、全てを縫着する。なお、ワイヤーループ５１５とカップ支持部用部材１００Ａをカップ部５０１の外側に取り付けることもできるが、この場合、肌側にあたりがないためバストがひっかからず、ずれやすくなってしまう。縫着する箇所は、ワイヤー５０に沿って、ワイヤーの上下部分とするとよい。この場合、カップ支持部用部材１００Ａのクッション部は、図６（ａ）のようにワイヤー５０の上側（カップ支持部５０５の上辺側）になるように縫着されても、図６（ｂ）のようにワイヤー５０の下側（カップ支持部５０５の下辺側）になるように縫着されてもよい。また、図６（ｃ）のようにカップ支持部用部材１００Ａを２つ用い、クッション部がそれぞれ別の向きとなるように重ね合わせ、クッション部がワイヤー５０を挟んで上下ともに設けられるようにしてもよい。クッション部がワイヤー５０の上側に装着されるのが、ワイヤー５０が身体側に倒れた時の角のあたりを防ぎ、かつ、軽い着用感を実現できるため、最も好ましい。なお、本実施形態においては、ブラジャー５００は土台部５１０を有しているが、本発明はこれに限られず、土台部を有さないブラジャーにも使用することができる。
【００２８】
このように本発明のカップ支持部用部材を取り付けることにより、ワイヤーが身体側に倒れても、カップ支持部用部材のクッション部がクッションとなってワイヤーが直接肌にあたることを防ぐことができるため、着用時にワイヤーがあたることの痛みや違和感をなくすことができる。また、本発明のカップ支持部用部材は、ワイヤーを補強する機能も有しているため、カップ支持部用部材とワイヤーとを組み合わせることによって、バストの保形力や着用安定感を高めることができる。
【００２９】
（第６の実施形態）
本発明のカップ支持部用部材が、幅の上下方向にクッション部を有している場合は、図７に示すように、カップ部５０１の下辺部において、肌側から遠い順に、土台部５１０、カップ部５０１、ワイヤー５０、カップ支持部用部材１００Ｂの順番に重ね、縫着する。この場合、ワイヤー５０は、カップ支持部用部材１００Ｂの上下のクッション部の中央に挟むようにする。
【００３０】
この場合、ワイヤー５０を、ワイヤーループで覆う必要がなく、直接、カップ支持部用部材１００Ｂのクッション部の間に設けることができる。そして、その状態で土台部５１０、カップ部５０１およびカップ支持部用部材１００Ｂを縫着することができる。これにより、ワイヤーループを用意し、ワイヤーをワイヤーループに挿入する工程を省くことができるため、作業効率を上げることができる。また、１つのカップ支持部用部材で、ワイヤー５０の上下にクッション部を設けることができるので、カップ部下辺部の厚みを薄くすることができ、締め付け感を少なくすることができる。
【００３１】
（第７の実施形態）
本発明のカップ支持部用部材が、耳部にワイヤーを挿入することができる場合には、図８に示すように、カップ部５０１の下辺部において、肌側から遠い順に、土台部５１０、カップ部５０１、カップ支持用部材の順番に重ね、全てを縫着する。図８（ａ）は、クッション部が１つであるカップ支持用部材３００Ａを用いた場合の図、図８（ｂ）は、クッション部が２つ設けられているカップ支持用部材３００Ｂを用いた場合の図である。この場合も、ワイヤー５０に沿って、ワイヤーの上下部分を縫着するとよい。
【００３２】
この場合、カップ支持部用部材とワイヤーとが一体となっているため、カップ支持部用部材とは別の部材としてワイヤーを覆ったワイヤーループを用意する必要がない。そのため、重ね合わせる部材が少なくなり、カップ部下辺部の厚みを薄くすることができる。これにより、締め付け感や着用時の違和感を少なくすることができる。また、重ねる部材が少ないため、縫着が容易になり、作業効率を上げることができる。
【００３３】
以上、実施の形態の具体例として、ブラジャーをあげて本発明を説明したが、本発明のカップ部を有する衣類は、具体例で記載されたもののみに限定されるものではなく、種々の態様が可能である。例えば、ボディスーツ、ブラスリップ、水着、レオタード、その他各種のカップ部を有する衣類に適用できる。また、前中心を係脱自在のホックで連結するフロントホックタイプの衣類にも適用できる。
【産業上の利用可能性】
【００３４】
本発明のカップ支持部用部材は、種々の態様のカップ部を有する衣類への適用が可能である。例えば、上記の実施形態のようなブラジャー等のファンデーション衣類以外にも、スポーツ衣類、アウターなど、各種のカップ部を有する衣類に適用できる。
【符号の説明】
【００３５】
１００Ａ、１００Ｂ、２００Ａ、２００Ｂ、３００Ａ、３００Ｂ、４００Ａ、４００Ｂ  カップ支持用部材
１０１、２０１、３０１、４０１  クッション部
１０２、２０２、３０２、４０２  耳部
３０  クッション材
５０  ワイヤー
５００  ブラジャー
５０１  カップ部
５０５  カップ支持部
５１０  土台部
５１５  ワイヤーループ
【図１】
0005943190.tif 000002
【図２】
0005943190.tif 000003
【図３】
0005943190.tif 000004
【図４】
0005943190.tif 000005
【図５】
0005943190.tif 000006
【図６】
0005943190.tif 000007
【図７】
0005943190.tif 000008
【図８】
0005943190.tif 000009
【図９】
0005943190.tif 000010